(57)【要約】【課題】温度調節、流量調節および流路切替の各機能を有し、小型化が可能な弁装置を提供する。【解決手段】弁装置１００は、水および湯それぞれが流入する水側流入口１１ａおよび湯側流入口１２ａと、水側流入口１１ａおよび湯側流入口１２ａのそれぞれから流入する水および湯の混合比を変化させる温調弁部４２を有し、吐水温度を調節する温度調節部４と、吐水路１３へ通流する流量を変化させる流調弁部５２を有し、吐水流量を調節する流量調節部５と、吐水路１３を接続する流路を切り替える切替弁部７１を有する流路切替部７と、を備える。【選択図】図３
2019173513.tif 000002
【特許請求の範囲】
【請求項１】
水および湯それぞれが流入する水側流入口および湯側流入口と、
前記水側流入口および前記湯側流入口のそれぞれから流入する水および湯の混合比を変化させる温調弁部を有し、吐水温度を調節する温度調節部と、
吐水路へ通流する流量を変化させる流調弁部を有し、吐水流量を調節する流量調節部と、
前記吐水路を接続する流路を切り替える切替弁部を有する流路切替部と、
を備えることを特徴とする弁装置。
【請求項２】
プッシュ操作によって、前記吐水路への吐水または止水を切り替える止水部と、を備えることを特徴とする請求項１に記載の弁装置。
【請求項３】
前記切替弁部は、前記温調弁部および前記流調弁部よりも下流側に設けられていることを特徴とする請求項１または２に記載の弁装置。
【請求項４】
前記吐水路は、前記温調弁部および前記流調弁部から延びるように設けられており、
前記切替弁部は、前記吐水路の先端部に設けられていることを特徴とする請求項１から３のいずれか１項に記載の弁装置。
【請求項５】
前記温度調節部は、一の軸線まわりに回動して前記温調弁部を連動させる温調回動部を有し、
前記流量調節部は、前記軸線まわりに回動して前記流調弁部を連動させる流調回動部を有し、
前記流路切替部は、前記軸線まわりに回動して前記切替弁部を連動させる切替回動部を有することを特徴とする請求項１から４のいずれか１項に記載の弁装置。
【請求項６】
前記切替回動部は、回動の際に摩擦を生じる接触部分が、前記温調回動部および前記流調回動部よりも、前記軸線から径方向に遠い位置に形成されていることを特徴とする請求項５に記載の弁装置。
【請求項７】
前記温調弁部、前記流調弁部および前記切替弁部は、前記軸線の軸方向に重なるように設けられていることを特徴とする請求項５または６に記載の弁装置。
【請求項８】
前記温度調節部および前記流量調節部は、それぞれ前記軸線まわりに回動可能な温調操作部および流調操作部を有し、
前記温調操作部は、前記軸線の軸方向において前記流調操作部よりも外側に設けられていることを特徴とする請求項５から７のいずれか１項に記載の弁装置。
【発明の詳細な説明】
【技術分野】
【０００１】
本発明は、弁装置に関する。
【背景技術】
【０００２】
例えば特許文献１には、キッチンや浴室等の水栓に用いられる、流量を調節する弁装置が記載されている。この弁装置は、主水路上に設けられ、開度を変化させるダイアフラム式の主弁と、円筒部材の先端部により構成された環状の主弁座と、主弁と一体に移動するよう設けられ、円筒部材の内部に侵入して主弁の移動をガイドする主弁ガイドと、を備える。
【０００３】
主弁は、パイロット弁を移動させて背圧室の水圧を変化させることによって、主弁座に対して接触または離間する。弁装置は、主弁が主弁座に対して接触または離間することによって、主水路を通流する水を止水し、流量の調節を行う。
【先行技術文献】
【特許文献】
【０００４】
【特許文献１】特開２０１６−０７０３４０号公報
【発明の概要】
【発明が解決しようとする課題】
【０００５】
特許文献１に記載の弁装置は、止水機能および流量調節機能を備えるものの、吐出する水の温度を調節することや、吐水する流路を切り替えることはできず、別途温度調節用および流路切替用の弁装置を併設すると、大型化してしまうという問題点があった。
【０００６】
本発明は、斯かる事情に鑑みてなされたものであり、その目的とするところは、温度調節、流量調節および流路切替の各機能を有し、小型化が可能な弁装置を提供することにある。
【課題を解決するための手段】
【０００７】
本発明に係る弁装置は、水および湯それぞれが流入する水側流入口および湯側流入口と、前記水側流入口および前記湯側流入口のそれぞれから流入する水および湯の混合比を変化させる温調弁部を有し、吐水温度を調節する温度調節部と、吐水路へ通流する流量を変化させる流調弁部を有し、吐水流量を調節する流量調節部と、前記吐水路を接続する流路を切り替える切替弁部を有する流路切替部と、を備える。
【発明の効果】
【０００８】
本発明によれば、弁装置は、温度調節、流量調節および流路切替の各機能を有して小型化が可能となる。
【図面の簡単な説明】
【０００９】
【図１】実施形態に係る弁装置の外観を示す斜視図である。
【図２】弁装置の上面図である。
【図３】図２に示すＡ−Ａ線による弁装置の断面図である。
【図４】図２に示すＢ−Ｂ線による弁装置の断面図である。
【図５】貫通孔付近の制御軸の部分を拡大した断面図である。
【図６】流路の切替について説明するための模式図である。
【発明を実施するための形態】
【００１０】
以下、本発明を好適な実施形態をもとに図１から図６を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１１】
（実施形態）
図１は実施形態に係る弁装置１００の外観を示す斜視図であり、図２は弁装置１００の上面図である。弁装置１００は、円筒状であり、軸線まわりに回動可能な、温調操作部４０、流調操作部５３および流路切替操作部７０が設けられている。また弁装置１００は、軸方向に移動可能な止水ボタン６０が設けられている。弁装置１００は、円筒状のハウジング１０の側面に水側流入口１１ａおよび湯側流入口１２ａを有している。ハウジング１０には、水側流入口１１ａからハウジング１０の内部に延びる水側流入路１１、および湯側流入口１２ａからハウジング１０の内部に延びる湯側流入路１２が設けられている。水側流入口１１ａおよび湯側流入口１２ａは、固定側に設けられた水供給路および湯供給路（図示略）に接続される。固定側は、例えば水栓本体である。ハウジング１０の内部には吐水路１３が設けられており、下部の側面に吐水口１３ａが形成されている。
【００１２】
温調操作部４０および流調操作部５３は、ハウジング１０に対して相対的に回動させることができる。流路切替操作部７０は、ハウジング１０に固定されており、ハウジング１０とともに回動させることができる。弁装置１００は、温調操作部４０を回動させることによって吐水温度を調節し、流調操作部５３を回動させることによって吐水流量を調節する。弁装置１００は、流路切替操作部７０をハウジング１０とともに回動させることによって、吐水路１３を接続する流路を切り替える。また弁装置１００は、止水ボタン６０をプッシュ操作によって、軸方向に移動させることによって、吐水または止水を切り替える。尚、温調操作部４０、流調操作部５３、止水ボタン６０および流路切替操作部７０には、適宜、操作用のハンドルやダイヤル、プッシュボタン等の操作体を取り付け、該操作体を操作するようにしてもよい。また、端部が温調操作部４０となる後述の制御軸３は、外部に突出しないように、上述の操作用のハンドルやダイヤル、プッシュボタン等の操作体の内側に隠されるようにするとよい。
【００１３】
図３は図２に示すＡ−Ａ線による弁装置１００の断面図であり、図４は図２に示すＢ−Ｂ線による弁装置１００の断面図である。弁装置１００は、ハウジング１０、温度調節部４、流量調節部５、止水部６および流路切替部７を備える。ハウジング１０は円筒状であり、中央の筒孔部分により吐水路１３が形成されている。吐水路１３の底部における側面には、吐水口１３ａが設けられている。水側流入路１１および湯側流入路１２は、ハウジング１０の軸方向の中途部に、軸方向に間隔を空けて設けられており、半径方向に延びてハウジング１０の周側部を内外に貫通する。ハウジング１０の外周面には、水側流入路１１の水側流入口１１ａおよび湯側流入路１２の湯側流入口１２ａが形成される。水側流入口１１ａおよび湯側流入口１２ａは、ハウジング１０の外周面において円弧状に設けられている。
【００１４】
温度調節部４は、一端が温調操作部４０となる制御軸３、回動部４１および温調弁部４２を備える。制御軸３は、細長い棒状であり、ハウジング１０の軸線上に設けられている。制御軸３は、ハウジング１０の底部から、弁装置１００全体の上部に突き出すように延びている。回動部４１は、円筒状であり、筒内部に挿通された制御軸３との間で回転が拘束されており、制御軸３と一体的に軸線まわりに回動する。回動部４１の筒内部は、軸方向に貫通しており、吐水路１３の一部となっている。回動部４１の外周面には雄ねじが形成されている。尚、回動部４１は本発明における温調回動部に相当する。
【００１５】
温調弁部４２は、円環板状であり、内周面に形成された雌ねじが回動部４１の外周面に形成された雄ねじに螺合している。温調弁部４２は、上端面４２ａが水側流入路１１に連続する水側弁座１４ａに対向し、下端面４２ｂが湯側流入路１２に連続する湯側弁座１４ｂに対向するように設けられている。温調弁部４２は、軸方向に貫通する貫通孔４２ｃを有し、湯側流入路１２から貫通孔を通って湯が流れる。
【００１６】
貫通孔４２ｃにはハウジング１０から延びるガイド軸１４ｃが挿通されており、ガイド軸１４ｃによって温調弁部４２の軸線まわりの回転が拘束されている。このため、温調弁部４２は、制御軸３および回動部４１の回動によって軸方向に移動する。温調弁部４２が軸方向に移動することで、上端面４２ａが水側弁座１４ａに対して、下端面４２ｂが湯側弁座１４ｂに対して接近および離間し、水側流入路１１および湯側流入路１２の開度が変化して、水および湯の混合比が変化する。
【００１７】
温調弁部４２の外周面４２ｄには、対向するハウジング１０の内周面との間にパッキンが設けられており、水側流入路１１および湯側流入路１２が連通しないように封じられている。
【００１８】
流量調節部５は、胴体部５１、流調弁部５２および流調操作部５３を有する。胴体部５１は、外側に外筒部５１ａを有し、外筒部５１ａの内側に内筒部５１ｂを有する。外筒部５１ａと内筒部５１ｂの間には流入路５１ｃが形成されており、水側流入路１１および湯側流入路１２からの水および湯が流入路５１ｃに流れ込む。内筒部５１ｂの内側は、吐水路１３の一部となっている。内筒部５１ｂの上端部は弁座５１ｄとなっている。
【００１９】
流調弁部５２は、主弁２０および内蓋２４を備える。主弁２０は、硬質の主弁本体２１、主弁本体２１に保持されたゴム製のダイアフラム２２、および小孔２３を備える。主弁本体２１は円板状であり、中央に制御軸３を挿通する貫通孔２１ａを有する。ダイアフラム２２は、周縁部が胴体部５１の外筒部５１ａに嵌め合わされており、内蓋２４の周縁部の底面によって押圧するようにして胴体部５１の内部に取り付けられる。内蓋２４は、皿状であり、底部２４ａの内側であって、主弁２０の背面側に背圧室２４ｂを画成する。内蓋２４の底部２４ａの中央部には、制御軸３を挿通する貫通孔が設けられている。小孔２３は、主弁本体２１およびダイアフラム２２を貫通するように設けられており、流入路５１ｃと背圧室２４ｂとを連通する。
【００２０】
制御軸３は、上述のように主弁本体２１の中央に設けた貫通孔２１ａに挿入されている。貫通孔２１ａの内周面に設けた環状溝にシールリング２５が保持されている。貫通孔２１ａに連続するように吐水路１３へ連通するパイロット流路２６が形成されている。
【００２１】
図５は、貫通孔２１ａ付近の制御軸３の部分を拡大した断面図である。制御軸３は、シールリング２５に接触する外径を有するシール部３０ａと、シールリング２５の内径より小さい外径を有する環状の凹所３０ｂを有する。凹所３０ｂの軸方向における端部は、底部からシール部３０ａへ拡幅するテーパ面３０ｃとしてある。
【００２２】
図３、図４および図５に示す制御軸３は、シール部３０ａがシールリング２５に接触することで、背圧室２４ｂからパイロット流路２６へ水が流れない状態となる。このとき、小孔２３を通して背圧室２４ｂに水が流れ込んで背圧室２４ｂの水圧が上昇し、主弁２０が弁座５１ｄに接触して止水状態となる。制御軸３を軸方向に上昇させ、シールリング２５に凹所３０ｂまたはテーパ面３０ｃを対向させるようにすると、背圧室２４ｂからパイロット流路２６へ水が流れて背圧室２４ｂの水圧が低下し、主弁２０が弁座５１ｄから離れて、流入路５１ｃから吐水路１３へ水が流れる。制御軸３を軸方向に上昇させる程度に応じて主弁２０が弁座５１ｄから離間する距離が変化し、吐水流量が調節される。
【００２３】
流調操作部５３は円筒状であり、流路切替操作部７０に内挿されて温調操作部４０と同軸まわりに回動可能に支持されている。流調操作部５３の内側には、止水ボタン６０が嵌め合わされている。止水ボタン６０は円筒状であり、流調操作部５３に回転拘束されており、軸方向に移動可能に支持されている。止水ボタン６０の内側には、駆動部５４が嵌め合わされており、流調操作部５３および止水ボタン６０とともに軸線まわりに回動する。
【００２４】
駆動部５４の内周面には雌ねじが形成されており、該雌ねじに螺合する雄ねじが形成された可動部３５が制御軸３の端部に配設されている。可動部３５は、円柱の周面における対向する両側部を平坦状に切除した形状であり、平坦面がガイド板５５に接触して回転拘束され、雄ねじ部分が駆動部５４の雌ねじに螺合し、駆動部５４の回動によって軸方向に直動する。ガイド板５５は、ハウジング１０側に固定的に設けられる。駆動部５４は本発明における流調回動部に相当する。
【００２５】
流量調節部５は、流調操作部５３の回動操作によって、可動部３５が直動して制御軸３が軸方向に移動し、流調弁部５２が開閉するように機能する。流量調節部５は、制御軸３の軸方向位置によって、流調弁部５２の開度が定まり、吐水路１３へ流れる吐水流量を調節する。
【００２６】
止水部６は、止水ボタン６０およびカム部６１を有するとともに、上述の流調弁部５２を流量調節部５と共通の要素として有する。止水ボタン６０がプッシュ操作によって押圧されて、制御軸３を軸方向に吐水路１３側に押し込んだ止水状態となる。この止水状態において流調操作部５３を回動させても止水状態が維持される。カム部６１は、流調操作部５３の内側面に形成されたカム６１ａ、従動カム６１ｂおよび切換カム６１ｃを有する。カム６１ａは、制御軸３を吐水路１３側へ押し込んで止水する止水位置と、止水位置から引き込んで吐水する吐水位置を有する。
【００２７】
止水ボタン６０に設けた従動カム６１ｂは、スプリング等による復元力によってカム６１ａに押圧されて接触しており、止水ボタン６０を押す操作によってカム６１ａの吐水位置から止水位置に移動する。従動カム６１ｂは、止水ボタン６０を更に押し込む操作によって、切換カム６１ｃによって位置が切り替わり、止水位置から吐水位置に移動する。尚、実施形態に係る弁装置１００は、カム部６１が吐水位置にあるときにも、制御軸３の軸方向位置によって流調弁部５２を閉状態にして止水することができる。
【００２８】
流路切替部７は、流路切替操作部７０および切替弁部７１によって構成されている。切替弁部７１は、ハウジング１０の下部として形成されており、上述のとおり側面に吐水口１３ａが設けられている。切替弁部７１は、温調弁部４２および流調弁部５２の下流側に設けられている。図６は、流路の切替について説明するための模式図である。図６は、吐水口１３ａを含む切替弁部７１の軸線方向に直交する断面を表している。ハウジング１０内には吐水路１３が形成されており、吐水路１３の下流側に切替弁部７１が設けられている。尚、ハウジング１０は本発明における切替回動部に相当する。
【００２９】
吐水口１３ａは、吐水路１３の下流側に設けられ、切替弁部７１の側面に表われている。流路切替操作部７０は、ハウジング１０の下部の切替弁部７１と一体的に回動し、吐水口１３ａの位置を切り替えることができる。流路切替部７は、流路切替操作部７０の回動操作によって、吐水路１３を接続する流路を図６に示す流路９１または流路９２に切り替える。
【００３０】
次に、実施形態に係る弁装置１００の動作について説明する。温度調節部４は、温調操作部４０を回動させることによって制御軸３および回動部４１が回動し、温調弁部４２が軸方向に移動する。温調弁部４２が軸方向に移動することによって、温調弁部４２の上端面４２ａが水側弁座１４ａに、下端面４２ｂが湯側弁座１４ｂに接近または離間する。温度調節部４は、温調弁部４２が水側弁座１４ａおよび湯側弁座１４ｂに接近または離間させることによって、水側流入口１１ａおよび湯側流入口１２ａから流入する水および湯の混合比を変化させ、吐水温度を調節する。
【００３１】
流量調節部５は、流調操作部５３を回動させることによって、制御軸３を軸方向に移動させる。制御軸３の移動位置に応じて背圧室２４ｂがパイロット流路２６に連通して生じるパイロット流を利用して流調弁部５２を可動する。流量調節部５は、制御軸３の移動位置に対応して流調弁部５２の開度が定まり、吐水路１３へ通流する吐水流量を調節する。流調弁部５２は、流調操作部５３の手動によって直接的に操作しなくて済み、パイロット流を利用して可動されるので、流調操作部５３における操作荷重を軽減することができる。
【００３２】
止水部６は、止水ボタン６０をプッシュ操作によって押圧し、制御軸３を軸方向に吐水路１３側へ押し込むことにより、流調弁部５２の背圧室２４ｂがパイロット流路２６に連通されないようにし、止水状態とする。止水部６は、カム部６１によって、止水ボタン６０を吐水位置または止水位置に保持する。
【００３３】
流路切替部７は、流路切替操作部７０をハウジング１０の下部の切替弁部７１と一体的に回転させることで、切替弁部７１に設けた吐水口１３ａの位置を切り替え、吐水路１３を接続する流路を切り替える。切替弁部７１は、温調弁部４２および流調弁部５２の下流側に設けられているので、吐水路１３において水と湯が撹拌され、温度調節によって期待される温度により近い温度の水を吐水口１３ａから吐水することができる。
【００３４】
弁装置１００は、温度調節部４による温度調節、流量調節部５による流量調節、および流路切替部７による流路切替の各機能を有して小型化することができる。また、弁装置１００は、止水部６を設けることによって、プッシュ操作による吐止水を行うことができる。
【００３５】
吐水路１３は、温調弁部４２および流調弁部５２を設けた位置から軸方向の下方側に延びるように設けられている。切替弁部７１は、吐水路１３の下方側の先端部に設けられており、温調弁部４２および流調弁部５２と径方向に重ならないので、温調弁部４２および流調弁部５２に関わらず、構成し易くなっている。
【００３６】
温度調節部４は、軸線まわりに回動する回動部４１に連動して温調弁部４２が可動する。流量調節部５は、回動部４１と同一の軸線まわりに回動する駆動部５４に連動して流調弁部５２が可動する。また、流路切替部７は、回動部４１と同一の軸線まわりに回動するハウジング１０に連動して一体的に切替弁部７１を可動する。温度調節部４、流量調節部５および流路切替部７における各操作が回動操作となり操作性が良い。回動部４１が回動する際に摩擦を生じる接触部は、回動部４１の外周面に設けた雄ねじ部分４１ａ（図４参照）である。また、駆動部５４が回動する際に摩擦を生じる接触部は、駆動部５４の内周面に設けた雌ねじ部分５４ａである。また、ハウジング１０が回動する際に摩擦を生じる接触部は、ハウジング１０の外周部分１０ａである。
【００３７】
ハウジング１０の外周部分１０ａが、回動部４１の雄ねじ部分４１ａおよび駆動部５４の雌ねじ部分５４ａよりも軸線から径方向に遠い外側の位置に形成されている。これにより、ハウジング１０の外周部分１０ａに生じる摩擦トルクを大きくすることができ、流路切替操作部７０の操作荷重を重くできる。回動部４１の雄ねじ部分４１ａおよび駆動部５４の雌ねじ部分５４ａが、ハウジング１０の外周部分１０ａよりも軸線から径方向に近い内側の位置に配置されるため、温調操作部４０および流調操作部５３の操作荷重を軽くすることができ、温度調節および流量調節の操作が容易になる。
【００３８】
温調弁部４２、流調弁部５２および切替弁部７１は、軸線の軸方向に重なるように設けられているので、軸線の径方向における弁装置１００の寸法を小さくすることができる。また、温調弁部４２、流調弁部５２および切替弁部７１は、軸線の径方向に重なるように設けてもよく、この場合、軸線の軸方向における弁装置１００の寸法を小さくすることができる。
【００３９】
温度調節部４および流量調節部５は、それぞれ軸線まわりに回動可能な温調操作部４０および流調操作部５３を有している。温調操作部４０は、軸線の軸方向において、流調操作部５３よりも外側に設けられているので、温調操作部４０の操作性が良く、温度調節が容易になる。
【００４０】
次に、実施形態に係る弁装置１００の特徴を説明する。
本発明の実施形態に係る弁装置１００は、水および湯それぞれが流入する水側流入口１１ａおよび湯側流入口１２ａと、水側流入口１１ａおよび湯側流入口１２ａのそれぞれから流入する水および湯の混合比を変化させる温調弁部４２を有し、吐水温度を調節する温度調節部４と、吐水路１３へ通流する流量を変化させる流調弁部５２を有し、吐水流量を調節する流量調節部５と、吐水路１３を接続する流路を切り替える切替弁部７１を有する流路切替部７と、を備える。これにより、弁装置１００は、温度調節、流量調節および流路切替の各機能を有し、小型化が可能となる。
【００４１】
また、弁装置１００は、プッシュ操作によって、吐水路１３への吐水または止水を切り替える止水部６と、を備える。これにより、弁装置１００は、プッシュ操作による吐止水が可能となる。
【００４２】
また、切替弁部７１は温調弁部４２および流調弁部５２よりも下流側に設けられている。これにより、弁装置１００は、吐水路１３において水と湯を撹拌し、温度調節によって期待される温度により近い温度の水を吐水口１３ａから吐水することができる。
【００４３】
また、吐水路１３は、温調弁部４２および流調弁部５２から延びるように設けられており、切替弁部７１が吐水路１３の先端部に設けられている。これにより、弁装置１００は、切替弁部７１が温調弁部４２および流調弁部５２と径方向に重ならないので、構成し易くなっている。
【００４４】
また、温度調節部４は一の軸線まわりに回動して温調弁部４２を連動させる回動部４１を有する。流量調節部５は、回動部４１と同一の軸線まわりに回動して流調弁部５２を連動させる駆動部５４を有する。流路切替部７は、回動部４１と同一の軸線まわりに回動して切替弁部７１を連動させるハウジング１０を有する。これにより、弁装置１００は、温度調節部４、流量調節部５および流路切替部７における各操作が回動操作となり操作性が良い。
【００４５】
またハウジング１０は、回動の際に摩擦を生じる接触部分である外周部分１０ａが、回動部４１の雄ねじ部分４１ａおよび駆動部５４の雌ねじ部分５４ａよりも、軸線から径方向に遠い位置に形成されている。これにより、弁装置１００は、流路切替操作部７０に比べて温調操作部４０および流調操作部５３の操作荷重を軽くすることができ、温度調節および流量調節の操作が容易になる。
【００４６】
また温調弁部４２、流調弁部５２および切替弁部７１は、軸線の軸方向に重なるように設けられている。これにより、弁装置１００は、軸線の径方向における寸法を小さくすることができる。
【００４７】
また温度調節部４および流量調節部５は、それぞれ軸線まわりに回動可能な温調操作部４０および流調操作部５３を有している。温調操作部４０は、軸線の軸方向において、流調操作部５３よりも外側に設けられている。これにより、弁装置１００は、温調操作部４０の操作性が良く、温度調節が容易になる。
【００４８】
以上、本発明の実施形態をもとに説明した。これらの実施形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４９】
１１  ハウジング（切替回動部）、  １１ａ  水側流入口、  １２ａ  湯側流入口、
１３  吐水路、  ４  温度調節部、  ４０  温調操作部、
４１  回動部（温調回動部）、  ４２  温調弁部、  ５  流量調節部、
５２  流調弁部、  ５３  流調操作部、  ５４  駆動部（流調回動部）、
６  止水部、  ７  流路切替部、  ７１  切替弁部、  １００  弁装置。
【図１】
2019173513.tif 000003
【図２】
2019173513.tif 000004
【図３】
2019173513.tif 000005
【図４】
2019173513.tif 000006
【図５】
2019173513.tif 000007
【図６】
2019173513.tif 000008